(57)【要約】【課題】エリアの出入口に設けた携帯電話着信呼び出し音制限信号発生装置からの信号を受信した携帯電話機がエリア内外において所望の制御状態を確実に維持し得るシステムを提供する。【解決手段】携帯電話機の着信呼び出し音を制限すべき場所（例えば映画館等）の出入口通路の屋外側と屋内（建物内）側に、第１，第２のブルートゥース固定局３０ａ、３０ｂを設置する。第１のブルートゥース固定局３０ａは、出入口通路の屋外側付近のみをカバーする微弱な電波により携帯電話機の着信呼び出し音の制限を解除する信号を送信する機能を有している。一方、第２のブルートゥース固定局３０ｂは、出入口通路の屋内（建物内）側付近のみをカバーする微弱な電波により携帯電話機の着信呼び出し音を制限する信号を送信する機能を有している。【選択図】        図１
2004153326.tif 000002
【特許請求の範囲】
【請求項１】
携帯電話機の着信呼び出し音を制限するエリアの出入口通路の前記エリア外に面する側に、携帯電話機の着信呼び出し手段をユーザーが設定している手段に戻す着信呼び出し音制限解除信号を送信する第１の通信手段を設置し、前記出入口通路の前記エリア内に面する側に、携帯電話機の着信呼び出し手段を前記エリア内において指定された呼び出し手段に制限する着信呼び出し音制限信号を送信する第２の通信手段を設置し、携帯電話機に、前記第１または第２の通信手段から送信される信号を受信することにより、該携帯電話機の着信呼び出し手段を切り替える制御手段を備えたことを特徴とする携帯電話機の着信呼び出し手段切り替えシステム。
【請求項２】
前記第１の通信手段は、前記出入口通路の前記エリア外側付近のみをカバーする微弱な電波により携帯電話機の着信呼び出し手段の制限を解除する信号を送信する機能を有する第１のブルートゥース固定局を構成し、前記第２の通信手段は、前記出入口通路の前記エリア内側付近のみをカバーする微弱な電波により携帯電話機の着信呼び出し手段を制限する信号を送信する機能を有する第２のブルートゥース固定局を構成し、前記携帯電話機には、前記第１及び第２のブルートゥース固定局と通信を行うブルートゥース通信部が設けられていることを特徴とする請求項１記載の携帯電話機の着信呼び出し手段切り替えシステム。
【請求項３】
請求項１または２に記載の携帯電話機着信呼び出し手段切り替えシステムに用いられる携帯電話機であって、前記第１の通信手段から送信される着信呼び出し音制限解除信号を受信したとき該携帯電話機の着信呼び出し手段をユーザーが設定している呼び出し手段に切り替え、前記第２の通信手段から送信される着信呼び出し音制限信号を受信したとき該携帯電話機の着信呼び出し手段を前記エリア内において指定された呼び出し手段に切り替える制御を行う制御手段を備えていることを特徴とする携帯電話機。
【請求項４】
前記制御手段は、ユーザーがスピーカによる着信呼び出し手段を設定している状態で、前記第２の通信手段から送信される着信呼び出し音制限信号を受信したとき、バイブレータによる着信呼び出し手段に切り替え制御することを特徴とする請求項３に記載の携帯電話機。
【請求項５】
前記制御手段は、ユーザーがスピーカによる着信呼び出し手段を設定している状態で、前記第２の通信手段から送信される着信呼び出し音制限信号を受信したとき、前記スピーカより出力される着信呼び出し音の出力レベルを、より小さい所定値に制御することを特徴とする請求項３に記載の携帯電話機。
【発明の詳細な説明】
【０００１】
【発明の属する技術分野】
本発明は、携帯電話機の呼び出し手段切り替えシステムに関し、携帯電話機が特定のエリア内にある時に、該携帯電話機の着信呼び出し手段を制限するシステムに関する。
【０００２】
【従来の技術】
近年、携帯電話機は急速に普及しており、どんな場所においても携帯電話の使用が可能となってきている。一方、利用者が携帯電話機を使用するマナーについても問題視されており、携帯電話機の使用を自粛するべき公共の場所で他人に迷惑を掛けることがある。例えばコンサートホールや映画館内等で、上演中に携帯電話機の着信音が不意に鳴動すると、周囲にいる人には多大な迷惑が掛かる。そのため、特定の場所における携帯電話機の着信をスピーカからバイブレータ等に自動的に切り替えることにより携帯電話機によるトラブルを減らす技術が従来から提案されている。
【０００３】
例えば、特許文献１〜３には、静粛さを必要とする公共施設等のエリア内に、携帯電話機に対して着信呼び出し手段を切り替えるための切り替え信号を送信する送信手段を設置し、一方、携帯電話機側にこの送信手段からの着信呼び出し手段切り替え信号を受信する手段と、着信呼び出し手段切り替え信号を受信したとき、例えばバイブレータ等による着信通知手段に自動的に切り替える手段を設けることにより、携帯電話機への着信時に周囲の人に迷惑がかからないようにする技術が記載されている。
【０００４】
また、特許文献４には、携帯電話機と、電車内等の携帯電話機の使用を制限する場所に設置された制御装置との間で、ブルートゥース（Ｂｌｕｅｔｏｏｔｈ）規格等に準じた無線通信を行う携帯電話機制御システムを構成し、携帯電話機が使用制限エリア内に在るとき、携帯電話機と制御装置との間で通信を行って携帯電話機の電源をオフし、電源がオフされてから所定時間が経過する毎に制御装置に対して確認信号を送信し、この確認信号に対する制御装置からの応答信号が受信できないとき、該携帯電話機の電源をオンに切り替えて通常の受信待ち状態にする技術が記載されている。
【０００５】
また、特許文献５には、携帯電話使用禁止区域の入口に微弱電波による使用制限信号を発信する使用制限無線局を配置し、出口に微弱電波による使用制限解除信号を発信する使用制限解除無線局を配置しておき、一方、携帯電話機には、これらに微弱電波を受信して該携帯電話機の発着信を不能に制御するとともに使用制限場所であることを表示する手段を設けることにより、使用禁止区域内での携帯電話機の使用を制限する技術が記載されている。
【０００６】
また、特許文献６には、携帯電話使用制限区域の出入口に、電源オフや着信音量消去といったその区域内で制限する携帯電話機の機能制限情報を微弱電波により発信する切替信号発信装置を設けておき、携帯電話機がこの使用制限エリアに入る際に受信した切替信号情報により、その指定された機能を自動的に制限し、携帯電話機がこの使用制限エリアから出る際に再度受信した上記切替信号情報により、前記制限された指定機能を自動的に解除する技術が記載されている。
【０００７】
【特許文献１】
特開平８−２１４０４７号公報
【特許文献２】
特開平１１−１８１５４号公報
【特許文献３】
特開２０００−１９６７１５号公報
【特許文献４】
特開２００２−７８００６号公報
【特許文献５】
特開２００１−９５０６０号公報
【特許文献６】
特開２００１−３３９７６１号公報
【０００８】
【発明が解決しようとする課題】
上記各公報に記載された方法によれば、利用者が携帯電話機の着信音を鳴らしてはならない場所（コンサートホールや映画館等）あるいは使用を自粛すべき場所（電車内や病院建物内等）で携帯電話機の着信通知手段の切り替えあるいは電源をオフ、オンする手間を省く事ができ、また、利用者が携帯電話機の着信通知手段の切り替えあるいは電源をオフする事を忘れた場合においても自動的に着信通知手段の切り替えあるいは携帯電話機の特定の機能を停止させることが可能であり、他人への迷惑防止手段として有効であるが、上記各公報に記載されたシステムには、それぞれ以下の問題点がある。
【０００９】
例えば特許文献１〜４に記載された発明では、携帯電話機の使用を制限する電車内あるいは映画館などに、予め携帯電話の使用等を制限する情報を発信する送信機を設置しているので、携帯電話の使用を制限するエリアが広い場合には、エリア全体をカバーするために大きな送信出力を有する送信機を設置するか、あるいはエリア内に複数の送信機を設置してエリア全体をカバーしなければならないという問題があり、逆に電波障害が発生したり、あるいはコストアップの要因となる。
【００１０】
また、特許文献５に記載された発明では、携帯電話使用禁止区域の入口に微弱電波による使用制限信号を発信する使用制限無線局が配置され、出口に微弱電波による使用制限解除信号を発信する使用制限解除無線局が配置されているので、無線局として、入口あるいは出口領域のみをカバーできる微弱な電波を送信する送信機を備えるだけでよいが、携帯電話機使用者が、誤って出口側から携帯電話使用禁止区域内に入った場合、あるいは携帯電話使用禁止区域内で出口に接近したときに、携帯電話使用禁止区域内で使用制限解除状態となってしまう恐れがあり、また、入口側から誤って携帯電話使用禁止区域外へ出た場合、あるいは携帯電話使用禁止区域外で入口に接近したときに、携帯電話使用禁止区域外であるにもかかわらず携帯電話機が使用制限状態になってしまうことがある。
【００１１】
また、特許文献６に記載された発明では、携帯電話の使用を制限したいエリアの出入口に切替信号発信装置を備え、携帯電話機がこの出入口からこのエリアに入るときに切替信号によって指定された使用制限状態となり、この出入口から出るときに同じ切替信号を再度受信すると解除制御されるため、エリア外に出ると自動的に使用制限解除状態となるので、切替信号発信装置としては特許文献１に記載されたものと同様に微弱な電波を送信する送信機で実現できるが、携帯電話機がこの出入口に接近したときに、使用制限エリア外にもかかわらず携帯電話機が切替信号を受信して使用制限状態となったり、あるいは使用制限エリア内にもかかわらず携帯電話機が再度切替信号を受信して使用制限解除状態となってしまうことがある。
【００１２】
特許文献５〜６は携帯電話の使用を制限する技術に関するものであるが、特許文献５〜６記載の技術を携帯電話の着信呼び出し音を自粛させたいエリアに対して適用した場合においても、同様にエリア内外で所望の着信呼び出し音発生状態とはならない状況が生ずる。
【００１３】
本発明の目的は、上記問題点に鑑み、携帯電話の着信呼び出し音を自粛させたいエリアの出入口の領域のみをカバーできる微弱な電波を送信する携帯電話着信呼び出し音制限信号発生装置を備えるとともに、この携帯電話着信呼び出し音制限信号発生装置からの信号を受信した携帯電話機がこのエリア内外において所望の着信呼び出し音発生状態に確実に切り替わり、且つその状態を維持し得るシステムを提供することにある。
【００１４】
【課題を解決するための手段】
本発明の携帯電話機の着信呼び出し手段切り替えシステムは、携帯電話機の着信呼び出し音を制限するエリア（例えばコンサートホール、映画館内等）の出入口通路の前記エリア外に面する側に、携帯電話機の着信呼び出し手段をユーザーが設定している手段に戻す着信呼び出し音制限解除信号を送信する第１の通信手段［例えば、ブルートゥース（Ｂｌｕｅｔｏｏｔｈ）］を設置し、前記出入口通路の前記エリア内に面する側に、携帯電話機の着信呼び出し手段を前記エリア内において指定された呼び出し手段（例えばバイブレータによる呼び出し）に制限する着信呼び出し音制限信号を送信する第２の通信手段を設置し、携帯電話機に、前記第１または第２の通信手段から送信される信号を受信することにより、該携帯電話機の着信呼び出し手段を切り替える制御手段を備えたことを特徴とする。
【００１５】
【発明の実施の形態】
図１は、本発明の実施形態のイメージを示す図であり、建物内で携帯電話機の着信呼び出し音を制限するエリア（例えばコンサートホール、映画館内等）の出入口通路の屋外側と屋内（建物内）側に、第１，第２のブルートゥース固定局３０ａ、３０ｂを設置する。第１のブルートゥース固定局３０ａは、出入口通路の屋外側付近のみをカバーする微弱な電波により携帯電話機の着信呼び出し手段の制限を解除する信号を送信する機能を有している。一方、第２のブルートゥース固定局３０ｂは、出入口通路の屋内（建物内）側付近のみをカバーする微弱な電波により携帯電話機の着信呼び出し手段を制限する信号を送信する機能を有している。
【００１６】
図２は、第１の実施形態で用いられる携帯電話機の要部を示すブロック図であり、アンテナ１ａにより第１，第２のブルートゥース固定局３０ａ、３０ｂから受信した信号に対して、ブルートゥースの通信規格に準拠した通信処理を行うブルートゥース通信部２を備えている。
【００１７】
制御部３は、ブルートゥース通信部２から着信呼び出し音制限信号情報を受けたときには呼び出し手段切替部４に対して、携帯電話機２０の着信呼び出し手段をバイブレータ６に切り替える制御信号を出力し、また、ブルートゥース通信部２から着信呼び出し音制限解除信号情報を受けたときには呼び出し手段切替部４に対して、携帯電話機２０の着信呼び出し手段をユーザーにより設定されている着信呼び出し手段に戻す制御信号を出力する。
【００１８】
また、制御部３は、送受信部５により基地局との間で無線信号の送受信を行う無線電話機としての各種制御を行う。記憶部７は、制御部３によって制御される携帯電話機の基本制御プログラムと、このプログラムに係るデータを記憶するＲＯＭ、及び制御部３によって実行される各種アプリケーションプログラムとこれらプログラムに係るデータを一時的に記憶するワークエリアを有するＲＡＭを含む。
【００１９】
本実施形態では、ブルートゥース方式の通信システムを利用して携帯電話機の着信呼び出し手段を制限する信号を送信するブルートゥース固定局３０ｂを、携帯電話機の着信呼び出し音により周囲にいる人に迷惑が掛かる場所（例えば、コンサートホール、映画館内等）の出入り口通路の屋内（建物内）側に設置するとともに、携帯電話機の着信呼び出し手段の制限を解除する信号を送信するブルートゥース固定局３０ａをこの出入口通路の屋外側に設置する。
【００２０】
例えば、出入り口の扉が二重扉となっている場合には、外側の扉付近に携帯電話機の着信呼び出し手段の制限を解除する信号を送信するブルートゥース固定局３０ａを設置し、内側の扉付近に携帯電話機の着信呼び出し手段を制限する信号を送信するブルートゥース固定局３０ｂを設置する。各固定局の送信機はそれぞれの扉の近傍領域のみをカバーできる微弱な電波を送信する。
【００２１】
また、出入り口の扉が一つの場合には、該扉の外側に指向性を有する電波を送信可能なブルートゥース固定局３０ａと、該扉の内側に指向性を有する電波を送信可能なブルートゥース固定局３０ｂを設置し、それぞれの固定局の送信機からは、扉の外側近傍領域と内側近傍領域をカバーできる微弱な電波を送信する。
【００２２】
図３は、本実施形態の着信呼び出し手段切り替え動作を示すフロー図である。以下、図１〜図３を参照して、本実施形態の動作について説明する。
【００２３】
携帯電話機２０が受信待ち受け中（Ｓ１）、制御部３は携帯電話機２０の利用者がブルートゥース通信の圏外にいるか否かの判定を行っており（Ｓ２）、携帯電話機２０がブルートゥース通信の圏外にいる場合には、ユーザーがキー操作部８から着信呼び出し手段を設定し直したか否かを監視しており（Ｓ３）、設定し直されなければ、携帯電話機２０の着信呼び出し手段として、現在設定されている着信呼び出し手段が継続して使用される（Ｓ４）。また、ユーザーにより着信呼び出し手段の設定し直しが行われた場合には、該設定し直された着信呼び出し手段に切り替える（Ｓ５）。
【００２４】
一方、携帯電話機２０の利用者がブルートゥース通信の圏内にいる場合（図１で見ると屋外のブルートゥース圏外から出入口通路のブルートゥース圏内へ入った場合、あるいは屋内のブルートゥース圏外から出入口通路のブルートゥース圏内へ入った場合）、ブルートゥース通信部２はアンテナ１ａを介してブルートゥース固定局３０から送信される信号を受信することにより通信が行われるが、その間制御部３はキー操作部８からの着信呼び出し手段の設定信号を無効にして（Ｓ６）、ブルートゥース固定局３０から着信呼び出し音の制限信号および制限解除信号の何れを受信したか判定する（Ｓ７）。
【００２５】
受信した信号がブルートゥース固定局３０ａから送信された着信呼び出し音制限解除信号である場合には、制御部３は、携帯電話機２０の着信呼び出し手段を、利用者が直前にキー操作部８により設定した着信呼び出し手段に切り替える（Ｓ８）。一方、受信した信号がブルートゥース固定局３０ｂから送信された着信呼び出し音制限信号である場合には、制御部３は、現在設定されている着信呼び出し手段が、バイブレータかスピーカかを判定し（Ｓ９）、バイブレータであれば着信呼び出し手段をバイブレータの状態に維持し（Ｓ１０）、スピーカであれば着信呼び出し手段の設定をバイブレータに切り替える（Ｓ１１）。
【００２６】
従って、携帯電話機の利用者が着信呼び出し音制限エリア外（屋外）から着信呼び出し音制限エリア内（屋内）に入る時には、携帯電話機は呼び出し音制限信号により、例えばバイブレータによる着信通知手段に自動的に切り替わり、また、利用者が着信呼び出し音制限エリア内（屋内）から着信呼び出し音制限エリア外（屋外）に出る時には、携帯電話機は呼び出し音制限解除信号により、利用者が設定している着信呼び出し手段に自動的に切り替わる。
【００２７】
また、呼び出し音制限解除信号を送信するブルートゥース固定局３０ａは出入口通路の屋外側に設置され、呼び出し音制限信号を送信するブルートゥース固定局３０ｂは出入口通路の屋内（建物内）側に設置されているので、屋外の建物の入口近くにいる利用者の携帯電話機が誤って着信呼び出し音制限状態になったり、屋内の入口近くにいる利用者の携帯電話機が誤って着信呼び出し音制限解除状態になることはない。
【００２８】
図４は、本発明の第２の実施形態を示す携帯電話機の要部を示すブロック図であり、図５は、第２の実施形態の動作を示すフロー図である。
【００２９】
本実施形態の携帯電話機は、着信を通知するスピーカ５に入力される着信音信号のレベルを制御可能なアンプ９を備えている点で、第１の実施形態の携帯電話機と異なるが、その他の構成は第１の実施形態の携帯電話機と同様である。
【００３０】
また、本実施形態では、ユーザーによる着信呼び出し手段の設定がスピーカとなっている状態で、ブルートゥース固定局３０ｂから送信された着信呼び出し音制限信号を受信したときには、アンプ９により、スピーカから出力される着信音のレベルを下げるように制御している（Ｓ１２）点で第１の実施形態の動作と異なるが、それ以外の動作は第１の実施形態と同様であるので詳細な説明は省略する。
【００３１】
なお、上記実施形態では、第１及び第２の通信手段として、ブルートゥース（Ｂｌｕｅｔｏｏｔｈ）規格等に準じた無線通信手段を採用しているが、通信手段としては、ブルートゥースに限定されるものではなく、無線ＬＡＮ、非接触式ＩＣカード、赤外線通信、あるいはバーコード読み取り手段を携帯電話機に備え、出入り口ゲートに設けられた対応する第１及び第２の送信機から信号を受信して切り替える、バーコードを読み取ることにより切り替える等、適宜の通信手段あるいは受信手段を採用することができる。
【００３２】
【発明の効果】
本発明によれば、電波の使用領域が、携帯電話機の使用を制限するエリアの出入口通路領域に限定されるので、微弱な電波により通信を行うことが可能であるとともに、携帯電話の着信音量を制限したいエリアの出入口に設けた携帯電話着信音制限信号発生装置からの信号を受信した携帯電話機がエリア内外において所定の着信音制御状態に確実に切り替えられ且つその状態を維持することができる。
【図面の簡単な説明】
【図１】本発明の実施形態のイメージを示す図である。
【図２】第１の実施形態で用いられる携帯電話機の要部を示すブロック図である。
【図３】第１の実施形態の動作を示すフロー図である。
【図４】第２の実施形態で用いられる携帯電話機の要部を示すブロック図である。
【図５】第２の実施形態の動作を示すフロー図である。
【符号の説明】
１ａ、１ｂ、１ｃ  アンテナ
２  ブルートゥース通信部
３  制御部
４  呼び出し手段切替部
５  スピーカ
６  バイブレータ
７  送受信部
８  記憶部
９  キー操作部
１０  アンプ
２０  携帯電話機
３０，３０ａ，３０ｂ  ブルートゥース固定局
【図１】
2004153326.tif 000003
【図２】
2004153326.tif 000004
【図３】
2004153326.tif 000005
【図４】
2004153326.tif 000006
【図５】
2004153326.tif 000007